(57)【要約】      （修正有）【課題】通信システムにおいて、物理ダウンリンク制御チャネルを時分割多重化するための検索空間割り当て方法及び基地局を提供する。【解決手段】方法において、基地局は、共通検索空間及び特定検索空間で使用される時間位置を初期化するＳ４１０。特定検索空間で使用される時間位置が、共通検索空間で使用される時間位置と重なり合うか否かに基づき、重なり合わないように回避するかどうかを判断するＳ４３０。回避する場合、特定検索空間及び共通検索空間で使用される時間位置が重なり合わないようにするＳ４５０。特定検索空間及び共通検索空間で使用される時間位置が重なり合わないような有効時間位置を決定するＳ４７０。【選択図】図４
2020191629.tif 000002
【特許請求の範囲】
【請求項１】
基地局に適用可能な検索空間割り当て方法において、
共通検索空間と特定検索空間との間の周期的差異を判断するステップであって、前記共通検索空間は、接続モード下にない少なくとも１つのユーザ機器が物理ダウンリンク制御チャネルを監視するための時間間隔であり、前記特定検索空間は、前記接続モード下にある前記少なくとも１つのユーザ機器が前記物理ダウンリンク制御チャネルを監視するための時間間隔である、ステップと、
前記周期的差異にしたがって前記特定検索空間における少なくとも１つの有効時間位置を決定するステップであって、前記少なくとも１つの有効時間位置は、前記特定検索空間及び前記共通検索空間で使用される時間位置が重なり合うかどうかに基づいて決定される、ステップと、
前記少なくとも１つの有効時間位置を前記少なくとも１つのユーザ機器に割り当てるステップと
を含む検索空間割り当て方法。
【請求項２】
前記少なくとも１つの有効時間位置のそれぞれは、前記物理ダウンリンク制御チャネルが最初に送信されて複数の有効時間位置が互いに重なり合わない時間位置を表わし、前記周期的差異にしたがって前記特定検索空間における少なくとも１つの有効時間位置を決定する前記ステップは、
前記少なくとも１つの有効時間位置の数を最大値に設定するとともに、前記共通検索空間の周期が前記特定検索空間の周期よりも小さいことが前記周期的差異であるときに、前記特定検索空間及び前記共通検索空間で使用される部分的に重なり合う時間位置を維持するステップと、
前記共通検索空間の前記周期が前記特定検索空間の前記周期よりも小さくないことが前記周期的差異であるときに前記特定検索空間及び前記共通検索空間で使用される前記時間位置が重なり合わないように、前記少なくとも１つの有効時間位置の前記数を減少させるステップと
を含む、請求項１に記載の検索空間割り当て方法。
【請求項３】
前記少なくとも１つの有効時間位置を前記少なくとも１つのユーザ機器に割り当てる前記ステップは、
少なくとも１つの時間位置を、前記少なくとも１つのユーザ機器の数が前記特定検索空間内の前記少なくとも１つの時間位置の利用可能な数よりも大きいことに応じて、時分割多重化を使用して前記少なくとも１つのユーザ機器に割り当てるステップであって、前記利用可能な数が、前記少なくとも１つのユーザ機器に未だ割り当てられていない時間位置の数に関連付けられる、ステップ
を含む、請求項１に記載の検索空間割り当て方法。
【請求項４】
前記少なくとも１つの有効時間位置を前記少なくとも１つのユーザ機器に割り当てる前記ステップは、
前記少なくとも１つのユーザ機器のそれぞれの識別コードにしたがって前記少なくとも１つのユーザ機器のそれぞれに対応する時間位置を決定するステップ
を含む、請求項１に記載の検索空間割り当て方法。
【請求項５】
前記少なくとも１つのユーザ機器のそれぞれの識別コードにしたがって前記少なくとも１つのユーザ機器のそれぞれに対応する時間位置を決定する前記ステップは、
前記少なくとも１つの有効時間位置の数に基づいて前記少なくとも１つのユーザ機器のそれぞれの前記識別コードに対してハッシュ演算を実行するステップであって、前記少なくとも１つのユーザ機器のそれぞれの前記識別コードが、セル内の前記少なくとも１つのユーザ機器の固有識別子である、ステップ
を含む、請求項４に記載の検索空間割り当て方法。
【請求項６】
第１の信号を受信するように構成される受信回路と、
第２の信号を送信するように構成される送信回路と、
プロセッサ回路であって、前記受信回路及び前記送信回路に結合されるとともに、
共通検索空間と特定検索空間との間の周期的差異を判断するステップであって、前記共通検索空間は、接続モード下にない少なくとも１つのユーザ機器が物理ダウンリンク制御チャネルを監視するための時間間隔であり、前記特定検索空間は、前記接続モード下にある前記少なくとも１つのユーザ機器が前記物理ダウンリンク制御チャネルを監視するための時間間隔である、ステップと、
前記周期的差異にしたがって前記特定検索空間における少なくとも１つの有効時間位置を決定するステップであって、前記少なくとも１つの有効時間位置は、前記特定検索空間及び前記共通検索空間で使用される時間位置が重なり合うかどうかに基づいて決定される、ステップと、
前記少なくとも１つの有効時間位置を前記少なくとも１つのユーザ機器に割り当てるステップと
を実行するように構成されるプロセッサ回路と
を備える基地局。
【請求項７】
前記少なくとも１つの有効時間位置のそれぞれは、前記物理ダウンリンク制御チャネルが最初に送信されて複数の有効時間位置が互いに重なり合わない時間位置を表わし、前記プロセッサ回路は、
前記少なくとも１つの有効時間位置の数を最大値に設定するとともに、前記共通検索空間の周期が前記特定検索空間の周期よりも小さいことが前記周期的差異であるときに、前記特定検索空間及び前記共通検索空間で使用される部分的に重なり合う時間位置を維持するステップと、
前記共通検索空間の前記周期が前記特定検索空間の前記周期よりも小さくないことが前記周期的差異であるときに前記特定検索空間及び前記共通検索空間で使用される前記時間位置が重なり合わないように、前記少なくとも１つの有効時間位置の前記数を減少させるステップと
を実行するように構成される、請求項６に記載の基地局。
【請求項８】
前記プロセッサ回路は、
少なくとも１つの時間位置を、前記少なくとも１つのユーザ機器の数が前記特定検索空間内の前記少なくとも１つの時間位置の利用可能な数よりも大きいことに応じて、時分割多重化を使用して前記少なくとも１つのユーザ機器に割り当てるステップであって、前記利用可能な数が、前記少なくとも１つのユーザ機器に未だ割り当てられていない時間位置の数に関連付けられる、ステップ
を実行するように構成される、請求項６に記載の基地局。
【請求項９】
複数の有効時間位置があり、前記プロセッサ回路は、
前記少なくとも１つのユーザ機器のそれぞれの識別コードにしたがって前記少なくとも１つのユーザ機器のそれぞれに対応する時間位置を決定するステップ
を実行するように構成される、請求項６に記載の基地局。
【請求項１０】
前記プロセッサ回路は、
前記少なくとも１つの有効時間位置の数に基づいて前記少なくとも１つのユーザ機器のそれぞれの前記識別コードに対してハッシュ演算を実行するステップであって、前記少なくとも１つのユーザ機器のそれぞれの前記識別コードが、セル内の前記少なくとも１つのユーザ機器の固有識別子である、ステップ
を実行するように構成される、請求項９に記載の基地局。
【発明の詳細な説明】
【技術分野】
【０００１】
本開示は、無線リソース管理に関し、特に、基地局及びその検索空間割り当て方法に関する。
【背景技術】
【０００２】
狭帯域モノのインターネット（ＮＢ−ＩｏＴ）システム又は同様のシステムでは、ダウンリンク送信割り当て又はアップリンク送信許可があるかどうかを検出するために、ユーザ機器は、ダウンリンクにおける狭帯域物理ダウンリンク制御チャネル（ＮＰＤＣＣＨ）によって伝送されるダウンリンク制御インジケータ（ＤＣＩ）を検出する。基地局は、それに応じてユーザ機器が監視及び復号するための複数の所定の時間間隔を設定する。複数の所定の時間間隔は、検索空間と称される場合がある。ユーザ機器がそれ自体に属するＤＣＩを受信した後、ユーザ機器は、インジケータコンテンツにしたがって対応するデータ送信領域（すなわち、狭帯域物理ダウンリンク共有チャネル（ＮＰＤＳＣＨ）又は狭帯域物理アップリンク共有チャネル（ＮＰＵＳＣＨ））との間で、データを受信又は送信する。
【０００３】
ユーザ機器の異なる特性に起因して検索空間の長さが変化し得ることに注目すべきである。しかしながら、ユーザの数が増大するにつれて、基地局が単位時間当たりにサーブできるユーザの数が制限され、ユーザ機器の全体的な伝送速度が低下される場合がある。したがって、無線リソースの利用効率は、基地局が検索空間及び監視のタイミングをどのようにユーザ機器に知らせるのかによって影響される。
【発明の概要】
【発明が解決しようとする課題】
【０００４】
本開示の一実施形態は、限られたスペクトルリソースをより効果的に利用するべく、物理ダウンリンク制御チャネルを時分割多重化するための基地局及びその検索空間割り当て方法を提供する。
【課題を解決するための手段】
【０００５】
本発明の一実施形態によれば、検索空間割り当て方法が基地局に適用可能である。検索空間割り当て方法は、これに限定されないが、以下のステップを含む。共通検索空間と特定検索空間との間の周期的差異が判断される。特定検索空間における有効時間位置が周期的差異にしたがって決定され、また、有効時間位置は、特定検索空間及び共通検索空間で使用される時間位置が重なり合うかどうかに基づいて決定される。複数の有効時間位置がユーザ機器に割り当てられる。
【０００６】
本発明の一実施形態によれば、基地局は、これらに限定されないが、受信回路、送信回路、及びプロセッサ回路を含む。受信回路は第１の信号を受信する。送信回路は第２の信号を送信する。プロセッサ回路は、受信回路及び送信回路に結合され、以下のステップを実行するように構成される。共通検索空間と特定検索空間との間の周期的差異が判断される。特定検索空間における有効時間位置が周期的差異にしたがって決定され、また、有効時間位置は、特定検索空間及び共通検索空間で使用される時間位置が重なり合うかどうかに基づいて決定される。複数の有効時間位置がユーザ機器に割り当てられる。
【発明の効果】
【０００７】
以上に基づき、共通検索空間が過度に占有されるのを防ぐため、異なるユーザ機器に関して異なる時間位置を適切に設定することに加えて、共通検索空間の周期が特定検索空間の周期以上であるケースも考慮に入れられる。その後、同時に送信要件を伴うユーザの数の増大に応じて、同じ時間位置を複数のユーザ機器に割り当てるために時分割多重化が行なわれる。このようにして、本発明の実施形態は、複数のユーザ機器に対してダウンリンク制御インジケータを効果的に示して、無線リソースを効果的に利用することができ、それにより、全体的な伝送速度を向上させることができる。
【図面の簡単な説明】
【０００８】
図面は、本発明の更なる理解を与えるように含まれ、また、図面は、本明細書に組み入れられて本明細書の一部を構成する。図面は、本発明の実施形態を示し、説明と共に本発明の原理を説明するのに役立つ。
【０００９】
【図１】本発明の一実施形態に係る通信システムの概略図である。
【００１０】
【図２】本発明の一実施形態に係る基地局の構成要素のブロック図である。
【００１１】
【図３】本発明の一実施形態に係る検索空間割り当て方法のフローチャートである。
【００１２】
【図４】本発明の一実施形態に係る有効時間位置を決定するフローチャートである。
【００１３】
【図５】本発明の一実施形態に係る各ユーザ機器の時間位置を決定するフローチャートである。
【００１４】
【図６】所定の時間位置を採用する時系列チャートを示す例である。
【００１５】
【図７】本発明の一実施形態を採用して時間位置を決定する時系列チャートを示す例である。
【００１６】
【図８Ａ】所定の時間位置を採用するアップリンクに関する伝送速度のシミュレーション図を示す例である。
【００１７】
【図８Ｂ】時間位置を決定するために本発明の一実施形態を採用するアップリンクに関する伝送速度のシミュレーション図を示す例である。
【００１８】
【図９Ａ】所定の時間位置を採用するダウンリンクに関する伝送速度のシミュレーション図を示す例である。
【００１９】
【図９Ｂ】時間位置を決定するために本発明の一実施形態を採用するダウンリンクに関する伝送速度のシミュレーション図を示す例である。
【発明を実施するための形態】
【００２０】
ここで、本発明の典型的な実施形態について詳しく言及し、典型的な実施形態の例が図面に示される。図面及び説明では、同じ又は同様の部分を指すために、可能な限り、同じ参照番号が使用される。
【００２１】
図１は、本発明の一実施形態に係る通信システムの概略図である。図１を参照すると、通信システム１は、これらに限定されないが、基地局ＢＳ及び１つ以上のユーザ機器ＵＥを含む。
【００２２】
基地局ＢＳは、これらに限定されないが、例えば、ホーム進化型ノードＢ（ＨｅＮＢ）、進化型ノードＢ（ｅＮＢ）、次世代ノードＢ（ｇＮＢ）、高度基地局（ＡＢＳ）、ベーストランシーバシステム（ＢＴＳ）、リレー、リピータ、又は、衛星ベース通信基地局である。
【００２３】
図２は、本発明の一実施形態に係る基地局ＢＳの構成要素のブロック図である。基地局ＢＳは、これらに限定されないが、１つ以上のアンテナ２１０、受信回路２２０、送信回路２３０、アナログ／デジタル（Ａ／Ｄ）−デジタル／アナログ（Ｄ／Ａ）コンバータ２４０、メモリ２５０、及びプロセッサ回路２６０を少なくとも含んでもよい。
【００２４】
受信回路２２０及び送信回路２３０はそれぞれ、アンテナ２１０を介して無線でアップリンク信号を受信してダウンリンク信号を送信するように構成される。また、受信回路２２０及び送信回路２３０は、低ノイズ増幅、インピーダンス整合、周波数混合、周波数アップコンバージョン又はダウンコンバージョン、フィルタリング、増幅、及び、同様のものなどのアナログ信号処理動作を実行してもよい。Ａ／Ｄ−Ｄ／Ａコンバータ２４０は、アップリンクに関してアナログ−デジタル変換を実行するとともに、ダウンリンクに関してデジタル−アナログ変換を実行するように構成される。
【００２５】
メモリ２５０は、これらに限定されないが、例えば、ランダムアクセスメモリ（ＲＡＭ）、リードオンリーメモリ（ＲＯＭ）、フラッシュメモリ、同様の構成要素、又は構成要素の組み合わせである。メモリ２５０は、プログラムコード、デバイス構成、コードブック、バッファリングされた又は恒久的なデータ、及び無線リソース制御（ＲＲＣ）層、媒体アクセス制御（ＭＡＣ）層、物理層などの様々な関連する通信プロトコルソフトウェアモジュールを記録する。
【００２６】
プロセッサ回路２６０は、デジタル信号を処理し、本発明の典型的な実施形態にしたがってプログラムを実行し、並びにメモリ２５０によって記録されるデータ及びソフトウェアモジュールにアクセスする又はこれらをロードするように構成される。プロセッサ回路２６０は、中央処理装置（ＣＰＵ）、マイクロプロセッサ、マイクロコントローラ、デジタル信号処理（ＤＳＰ）チップ、フィールド・プログラマブル・ロジック・ゲート・アレイ（ＦＰＧＡ）、及び同様のものなどのプログラム可能なユニットによって実装されてもよい。また、プロセッサ回路２６０は、別個の電子デバイス又は集積回路によって実装されてもよく、また、プロセッサ回路２６０の動作がソフトウェアによって実装されてもよい。
【００２７】
ユーザ機器ＵＥは、これらに限定されないが、移動局、高度移動局（ＡＭＳ）、電話デバイス、顧客構内機器（ＣＰＥ）、無線センサ、モノのインターネット（ＩｏＴ）デバイスなどを含んでもよい。
【００２８】
図３は、本発明の一実施形態に係る検索空間割り当て方法のフローチャートである。図３を参照すると、基地局ＢＳのプロセッサ回路２６０は、共通検索空間と特定検索空間との間の周期的差異を判断する（ステップＳ３１０）。具体的には、共通検索空間は、接続モード下にない（例えば、アイドルモード、コアネットワークにまだ登録されていない段階など）ユーザ機器ＵＥが物理ダウンリンク制御チャネルを監視するための時間間隔である。例えば、共通検索空間は、３ＧＰＰ  ＴＳ  ３６．２１３により規定されるランダムアクセスプロセスにおけるタイプ２の共通検索空間であってもよい。ユーザ機器ＵＥが基地局ＢＳからデータを送信しようとする又はページングメッセージを受信しようとする場合、ユーザ機器ＵＥはランダムアクセスプロセスを開始する。基地局ＢＳは、ランダムアクセス応答（ＲＡＲ）メッセージ、メッセージ３（Ｍｓｇ３；例えば、受信されたＲＡＲに応答するＲＲＣ接続要求）のハイブリッド自動再送要求（ＨＡＲＱ）再送信、又はメッセージ４（Ｍｓｇ４；例えば、競合解決メッセージ）を受信するようにユーザ機器ＵＥに通知する。他の実施形態では、共通検索空間が、ページングメッセージを送信するように通知するべく構成されるタイプ１の共通検索空間、又はユーザ機器ＵＥが接続モードにある前又は後にプロセス中にわたって送信される信号を通知するように構成される他の検索空間であってもよいことに留意すべきである。
【００２９】
一方、特定検索空間は、接続モード下にあるユーザ機器ＵＥが物理ダウンリンク制御チャネルを監視するための時間間隔である。例えば、特定検索空間は、３ＧＰＰ  ＴＳ  ３６．２１３により規定されるユーザ機器固有の検索空間（ＵＳＳ）であってもよい。基地局ＢＳは、アップリンク又はダウンリンクデータのスケジューリングメッセージを受信するようにＵＳＳ上のユーザ機器ＵＥに通知する。
【００３０】
検索空間は全て、特定の周期で、すなわち、現在の検索空間の開始点から次の検索空間の開始点までの時間間隔で設定される。検索空間の周期は、基地局ＢＳによってユーザ機器ＵＥに通知される。例えば、３ＧＰＰ  ＴＳ  ３６．２１３では、周期が以下のように規定される。
【００３１】
Ｔ＝Ｒｍａｘ・Ｇ  …（１）
ここで、Ｔは周期、Ｒｍａｘは再送信の最大数、及びＧは、値の範囲が［１．５、２、４、８、１６、３２、４８、６４］である検索空間における開始サブフレームである。更に、タイプ２の共通検索空間におけるＧは、ｎｐｄｃｃｈ−ＳｔａｒｔＳＦ−ＣＳＳ−ＲＡ又はｎｐｄｃｃｈ−ｓｔａｒｔＳＦ−ＳＣ−ＭＴＣＨによって示され、また、ＵＳＳにおけるＧはｎｐｄｃｃｈ−ＳｔａｒｔＳＦ−ＵＳＳによって示される。
【００３２】
プロセッサ回路２６０は、共通検索空間の周期と特定検索空間の周期との間の差異を、周期的差異として使用する。一実施形態では、差異が２つの周期の大きさ同士の間の比較を指す。例えば、共通検索空間の周期が特定検索空間の周期よりも大きく、又は共通検索空間の周期が特定検索空間の周期よりも大きくない。
【００３３】
次に、プロセッサ回路２６０は、周期的差異にしたがって特定検索空間における有効時間位置を決定する（ステップＳ３３０）。例えば、３ＧＰＰ  ＴＳ  ３６．２１３にしたがって、狭帯域物理ダウンリンク制御チャネル（ＮＰＤＣＣＨ）における初期送信時点ｋ０（検索空間の開始位置とも呼ばれる）は以下のように規定される。
【００３４】
2020191629.tif 000003
ここで、特定検索空間に関しては、Ｔが特定検索空間の周期であり、αoffsetは、値の範囲が［０、１／８、１／４、３／８］である位置オフセットであり、ｎｐｃｃｈ−Ｏｆｆｓｅｔ−ＵＳＳによって設定されてもよい。例えば、周期中に８個のサブフレームがある場合、０の位置オフセットが検索空間における１番目の時間位置（サブフレーム）に対応し、１／８の位置オフセットが２番目の時間位置に対応し、以下同様である。
【００３５】
本発明の実施形態にしたがった時間位置／位置オフセットは、物理ダウンリンク制御チャネル周期（ＰＰ）におけるｎ番目のサブフレームを表わす。例えば、３の時間位置は、周期における３番目のサブフレームを表わす。しかしながら、他の実施形態では、時間の長さの異なる規定に起因する変化があり得る。更に、各有効時間位置は、物理ダウンリンク制御チャネルが最初に送信されて有効時間位置が互いに重なり合わない時間位置を表わす。一実施形態において、有効時間位置は、特定検索空間及び共通検索空間において使用される時間位置が重なり合うかどうかに基づいて決定される。例えば、特定検索空間の位置オフセットが０、１／４、及び３／８であるとともに、共通検索空間で使用される位置オフセットが１／４である場合には、２つの検索空間の位置オフセットが重なり合い、有効時間位置が０、１／４及び、３／８の位置オフセット（一般に使用される時間位置を含む）であっても、０及び３／８の位置オフセット（一般に使用される時間位置を除く）であってもよい。有効時間位置の決定については後の実施形態で詳細に説明する。更に、有効時間位置は、監視のためにユーザ機器ＵＥにより最終的に使用され得る特定検索空間内の時間位置を表わす。
【００３６】
図４は、本発明の一実施形態に係る有効時間位置を決定するフローチャートである。図４を参照すると、プロセッサ回路２６０は、共通検索空間及び特定検索空間で使用される時間位置を初期化する（ステップＳ４１０）。例えば、３ＧＰＰ  ＴＳ  ３６．２１３において、共通検索空間で使用される時間位置は、ｎｐｄｃｃｈ−Ｏｆｆｓｅｔ−ＣＳＳ（システム情報ブロックタイプ２（ＳＩＢ２）に記録される共通検索空間パラメータ）にしたがって設定される。特定検索空間で使用される時間位置は、ｎｐｃｃｈ−Ｏｆｆｓｅｔ−ＵＳＳ（ＲＲＣ接続確立要求に記録される特定検索空間パラメータ）にしたがって設定される。
【００３７】
次に、プロセッサ回路２６０は、特定検索空間で使用される時間位置が共通検索空間で使用される時間位置を回避しなければならないかどうかを判断する（ステップＳ４３０）。一実施形態では、共通検索空間の周期が特定検索空間の周期よりも小さくないということが周期的差異である場合、プロセッサ回路２６０は、有効時間位置の数を減らし、共通検索空間で使用される時間位置を回避する（ステップＳ４５０）。「回避する」という用語は、特定検索空間及び共通検索空間で使用される時間位置が重なり合わないようにすることを表わす。例えば、特定検索空間で使用される時間位置が合計で４つあるとともに、共通検索空間の周期が特定検索空間の周期に等しいと仮定する。通常、１つの時間位置のみが共通検索空間によってインジケータとして占められる必要があり、そのため、共通検索空間で使用される時間位置と同じである特定検索空間で使用される時間位置を回避する必要があり、異なる検索空間にある２つのインジケータが同じ時間位置で重なり合うのを避けるために当初の４つの有効時間位置が３まで減少される。他の実施形態では、共通検索空間で使用される時間位置が特定検索空間で使用される時間位置と重なり合わない場合があり、そのため、有効時間位置を回避する必要がない或いは有効時間位置の数を変更する必要がないことに留意すべきである。加えて、共通検索空間によって必要とされる時間位置の数が１より大きくてもよく、また、それに対応して特定検索空間の有効時間位置の数が同じ数だけ減少されてもよい。
【００３８】
一実施形態では、共通検索空間の周期が特定検索空間の周期よりも小さいということが周期的差異である場合、プロセッサ回路２６０は、有効時間位置の数を最大値に設定し、共通検索空間で使用される時間位置を回避しない。「回避しない」という用語は、特定検索空間及び共通検索空間が同じ時間位置を使用する場合に、同じ時間位置を使用する２つの検索空間の設定が変わらないままであることを表わす。すなわち、２つの検索空間で使用される時間位置は重なり合うことができる。例えば、特定検索空間で使用される時間位置が合計で４つあり、有効時間位置の最大数が４であるとともに、共通検索空間の周期が特定検索空間の周期よりも小さいと仮定する。このとき、プロセッサ回路２６０は、当初の４つの有効時間位置を保持する。すなわち、有効時間位置が最大値に維持される。他の実施形態では、共通検索空間により必要とされる時間位置の数が１より大きくてもよく、プロセッサ回路２６０が、共通検索空間により必要とされる数に基づいて回避すべきかどうかを更に決定してもよいことに留意すべきである。
【００３９】
次に、プロセッサ回路２６０は、特定検索空間の最終的な有効時間位置を決定する（ステップＳ４７０）。回避が必要とされる場合、有効時間位置のサブセットは、特定検索空間で使用される時間位置のサブセットから、共通検索空間で使用される時間位置のサブセットを差し引いたものである。例えば、特定検索空間で使用されるサブセットが［０、１／４、３／８］であり、共通検索空間で使用されるサブセットが［１／４］である場合、有効時間位置のサブセットは、［０、３／８］（つまり、２つの有効値）であると確認される。回避が不要な場合、有効時間位置のサブセットは、特定検索空間で使用される時間位置のサブセットと等しい。例えば、特定検索空間で使用されるサブセットが［０、１／８、１／４、３／８］であり、共通検索空間で使用されるサブセットが［１／８］である場合、有効時間位置のサブセットは、［０、１／８、１／４、３／８］（つまり、４つの有効値）であると確認される。
【００４０】
図３を参照すると、特定検索空間の有効時間位置が確認された後、プロセッサ回路２６０は、有効時間位置をユーザ機器ＵＥに割り当ててもよい（ステップＳ３５０）。一実施形態において、プロセッサ回路２６０は、ユーザ機器ＵＥの識別コードにしたがって各ユーザ機器ＵＥに対応する時間位置を決定する。図５は、本発明の一実施形態に係る各ユーザ機器ＵＥの時間位置を決定するフローチャートである。図５を参照すると、プロセッサ回路２６０は、受信回路２２０を介して、ユーザ機器ＵＥからデータ送信要求を受信する（ステップＳ５１０）。例えば、データ送信要求はＭｓｇ３のＲＣＣ接続要求である。或いは、データ送信要求は、受信又は送信されるようになっているデータに関する無線リソースを要求するように構成される他のメッセージであってもよい。
【００４１】
プロセッサ回路２６０は、データ送信要求からユーザ機器ＵＥの識別コードを取得し、識別コードにしたがってユーザ機器ＵＥに対応する時間位置を決定してもよい（ステップＳ５３０）。例えば、ＲＣＣ接続要求は、ユーザ機器ＵＥのセル無線ネットワーク一時的識別子（Ｃ−ＲＮＴＩ）と共に記録される。或いは、識別コードは、別の無線ネットワークの一時的識別子、又は固有識別子などの異なるユーザ機器ＵＥ間を区別するように構成される任意の識別子であってもよい。
【００４２】
一実施形態において、プロセッサ回路２６０は、有効時間位置の数に基づいて、ユーザ機器ＵＥの識別コードに対してハッシュ演算を実行してもよい。例えば、検索空間内の最終的な有効時間位置の数が３（すなわち、３つの有効値）である場合、プロセッサ回路２６０は、Ｃ−ＲＮＴＩにおいて２ビットおきに排他的ＯＲ方程式（３）又は（４）のハッシュ演算を実行してもよい。
【００４３】
ｆ（ｘ）＝Ｃ−ＲＮＴＩ  ｍｏｄ  ３  …（３）
【００４４】
2020191629.tif 000004
ここで、ｆ（ｘ）は、ユーザ機器ＵＥに割り当てられる時間位置（例えば、位置オフセットαoffset）であり、Ｃ−ＲＮＴＩは、セル無線ネットワーク一時的識別子であり、ｍｏｄはモジュロ演算を表わし、x1〜x32はそれぞれ、識別コードにおける異なるビットの値を表わす。
【００４５】
他の実施形態では、ユーザ機器ＵＥの識別コードを時間位置と関連付ける他の動作又は対応表が適用されてもよいことに留意すべきである。
【００４６】
一実施形態では、インジケータを同時に受信するために必要とされるユーザ機器ＵＥの数が増大して、ユーザ機器ＵＥの数が特定検索空間における時間位置の利用可能な数よりも大きい（例えば、数が３、４などよりも大きい）場合、プロセッサ回路２６０は、時分割多重化を使用して、特定検索空間における時間位置をユーザ機器ＵＥに割り当ててもよい。利用可能な数は、ユーザ機器ＵＥに未だ割り当てられていない時間位置の数に関連付けられる。例えば、３ＧＰＰ  ＴＳ  ３６．２１３におけるｎｐｃｃｈ−Ｏｆｆｓｅｔ−ＵＳＳは、特定検索空間における利用可能な時間位置と共に記録される。更に、時分割多重化方法は、プロセッサ回路２６０が特定検索空間の単一周期内の異なる時間位置を異なるユーザ機器ＵＥにそれぞれ割り当てることである。例えば、プロセッサ回路２６０は、特定検索空間内のある特定の期間における１番目のサブフレームを第１のユーザ機器ＵＥに割り当て、２番目のサブフレームを第２のユーザ機器ＵＥに割り当て、以下同様である。３番目のサブフレームが有効時間位置である場合、プロセッサ回路２６０は、３番目のサブフレームを第３のユーザ機器ＵＥに割り当ててもよい。
【００４７】
別の実施形態において、異なるユーザ機器ＵＥは、特定検索空間の異なる期間内で同じ時間位置を使用してもよい。例えば、計算後、第１のユーザ機器ＵＥに割り当てられた時間位置が第２のユーザ機器ＵＥと同じである場合には、第１の期間内の３番目のサブフレームが第１のユーザ機器ＵＥに割り当てられ、後続の第２の期間内の３番目のサブフレームが第２のユーザ機器ＵＥに割り当てられる。同様に、プロセッサ回路２６０は、後続の期間内の３番目のサブフレームを別のユーザ機器ＵＥに割り当ててもよい。
【００４８】
更に別の実施形態では、インジケータを同時に受信するために必要とされるユーザ機器ＵＥの数が有効時間位置の数よりも少ない場合、プロセッサ回路２６０は、ユーザ機器ＵＥによって使用される時間位置が異なるようにする。
【００４９】
次に、プロセッサ回路２６０は、送信回路２３０を介してデータ送信確立メッセージを送信してもよい（ステップＳ５５０）。データ送信確立メッセージは、例えば、ＲＣＣ接続要求への応答におけるＲＣＣ接続確立要求である。或いは、データ送信要求は、受信又は送信されるようになっているデータの無線リソースを示すように構成される他のメッセージであってもよい。データ送信確立メッセージは、ユーザ機器ＵＥに対応する有効時間位置と共に記録される。その後、ユーザ機器ＵＥは、特定検索空間内の対応する（割り当てられた）有効時間位置を監視する。
【００５０】
図６は、所定の時間位置を採用する時系列チャートを示す例である。図６を参照すると、全てのユーザ機器ＵＥ１〜ＵＥ３が第２の時間位置（サブフレーム）を使用するとともに、８つのサブフレームである特定検索空間の周期が一例として取られると想定される。また、０、５、９、１０、１５、２０、２５番目のサブフレームが利用不可能であることも想定される。ユーザ機器ＵＥ１は、２番目のサブフレームで基地局ＢＳのインジケータを監視することにより、ダウンリンクデータが狭帯域物理ダウンリンク共有チャネル（ＮＰＤＳＣＨ）の６番目〜８番目のサブフレームで受信されることを知る。次の周期では、９番目及び１０番目のサブフレームが利用できないため、ユーザ機器ＵＥ２は、１１番目のサブフレーム（周期の２番目の時間位置が９番目のサブフレームである）に進んでインジケータのための基地局を監視した後、１６番目〜１８番目のサブフレームでダウンリンクデータを受信する。その後、ダウンリンクデータを受信するために１７番目のサブフレームがユーザ機器ＵＥ２によって使用されるため、ユーザ機器ＵＥ３は、監視のために次の周期のアイドル状態の２６番目のサブフレームを待つ。
【００５１】
図７は、本発明の一実施形態を採用して時間位置を決定する時系列チャートを示す例である。図７を参照すると、本発明の実施形態は、１番目〜３番目のサブフレームをそれぞれ使用して同じ期間内に基地局ＢＳのインジケータを監視するべく３つのユーザ機器ＵＥ１〜ＵＥ３を示すことができる時分割多重化を採用する。すなわち、異なるユーザ機器ＵＥ１〜ＵＥ３はそれぞれ同じ期間内の３つの時間位置で監視する。次の周期では、９番目及び１０番目のサブフレームが利用できないため、他の３つのユーザ機器ＵＥ４〜ＵＥ６はそれぞれ、１１番目〜１３番目のサブフレームを使用して基地局ＢＳのインジケータを監視する。その後、別の周期において、ユーザ機器ＵＥ７及びＵＥ８はそれぞれ、監視のために１８番目及び１９番目のサブフレームを使用する。
【００５２】
図６の時系列チャートと比較して、３つの期間において、時分割多重化を使用する図７は、８つのユーザ機器ＵＥ１〜ＵＥ８に対してそれぞれの無線リソース割り当て結果に関して示しているが、所定の時間位置を使用する図６は、２つのユーザ機器ＵＥ１及びＵＥ２に対してのみ示している。更に、無線リソース割り当て結果が早く通知されればされるほど、ＮＰＤＳＣＨ又は狭帯域物理アップリンク共有チャネル（ＮＰＵＳＣＨ）は、所定の時間位置を使用する従来技術と比較して早期に、データを受信又は送信するように構成され得る。例えば、図７におけるユーザ機器ＵＥ３は、図６におけるユーザ機器ＵＥ３より２周期早く特定検索空間で監視を実行し、また、図７におけるユーザ機器ＵＥ３も、図６におけるユーザ機器ＵＥ３よりも２周期早くＮＰＤＳＣＨでダウンリンクデータを受信する。同じ時間間隔内でより多くのデータを送信でき、それにより、システムの全体の伝送速度が増大すると考えられ得る。
【００５３】
図８Ａは、所定の時間位置を採用するアップリンクに関する伝送速度のシミュレーション図を示す例である。図８Ｂは、時間位置を決定するために本発明の一実施形態を採用するアップリンクに関する伝送速度のシミュレーション図を示す例である。図８Ａ及び図８Ｂを同時に参照すると、媒体アクセス制御（ＭＡＣ）層に関する伝送速度８０１及びパケットデータ収束プロトコル（ＰＤＣＰ）に関する伝送速度８０２は、本発明の実施形態に係る対応する層の伝送速度８０３及び８０４と比較される。
【００５４】
図９Ａは、所定の時間位置を採用するダウンリンクに関する伝送速度のシミュレーション図を示す一例である。図９Ｂは、時間位置を決定するために本発明の一実施形態を採用するダウンリンクに関する伝送速度のシミュレーション図を示す例である。図９Ａ及び図９Ｂを同時に参照すると、ＭＡＣ層に関する伝送速度９０１及びＰＤＣＰに関する伝送速度９０２は、本発明の実施形態に係る対応する層の伝送速度９０３及び９０４と比較される。
【００５５】
したがって、本発明の実施形態に係る時分割多重化メカニズムを使用すると、アップリンク及びダウンリンクの伝送速度／スループットが向上することが分かる。
【００５６】
要約すると、本発明の実施形態に係る基地局及びその検索空間割り当て方法は、共通検索空間の周期が特定検索空間の周期よりも大きい条件下で、特定検索空間及び共通検索空間において使用される同じ時間位置／位置オフセットを回避する。更に、ユーザ機器の識別子は、限られた無線リソースをより効果的に利用するべく、時分割多重化を実施するための時間位置に対応する。実際のテストでは、時分割多重化を使用しない場合と比較して、複数のユーザ機器の合計帯域幅を大幅に改善できる。
【００５７】
当業者に明らかなように、本開示の範囲又は技術思想から逸脱することなく、本開示の構造に対して様々な修正及び変更を行なうことができる。以上を考慮して、本開示は、この開示の修正及び変更を、それらが以下の特許請求の範囲及びそれらの等価物の範囲内にあるという条件で、網羅することが意図される。
【産業上の利用可能性】
【００５８】
本開示の基地局及びその検索空間割り当て方法は、無線リソース管理において適用されてもよい。
【符号の説明】
【００５９】
１  通信システム
ＢＳ  基地局
ＵＥ、ＵＥ１〜ＵＥ８  ユーザ機器
２１０  アンテナ
２２０  受信回路
２３０  送信回路
２４０  アナログ／デジタル−デジタル／アナログコンバータ
２５０  メモリ
２６０  プロセッサ回路
Ｓ３１０〜Ｓ３５０、Ｓ４１０〜Ｓ４７０、Ｓ５１０〜Ｓ５５０  ステップ
８０１〜８０４、９０１〜９０４  伝送速度
【図１】
2020191629.tif 000005
【図２】
2020191629.tif 000006
【図３】
2020191629.tif 000007
【図４】
2020191629.tif 000008
【図５】
2020191629.tif 000009
【図６】
2020191629.tif 000010
【図７】
2020191629.tif 000011
【図８Ａ】
2020191629.tif 000012
【図８Ｂ】
2020191629.tif 000013
【図９Ａ】
2020191629.tif 000014
【図９Ｂ】
2020191629.tif 000015
【外国語明細書】
2020191629000001.pdf